(57)【特許請求の範囲】
【請求項１】
ギター等の弦楽器の演奏の際に使用されるピックを収容するピックホルダーであって、
略平板な形状の本体部と、その本体部の表面上に前記ピックを収納する少なくとも１つ以上の収納部を備え、
前記収納部が、前記本体部に所定の間隔で設けられた複数の孔に、前記孔と略同一の幅を有する帯状部材を貫通するように表面側と裏面側とから交互に挿入して、前記帯状部材の一部が前記本体部の表面に露出することによって形成されており、
前記本体部と前記露出した帯状部材との間に形成された空間に前記ピックを挟み込むことによって、前記収納部に前記ピックが固定されることを特徴とする、ピックホルダー。
【請求項２】
前記孔が前記ピックの収納方向に対して斜め方向に開口することによって、前記本体部の表面に露出した帯状部材の外縁が左右対称の逆台形の輪郭を有する、請求項１に記載のピックホルダー。
【請求項３】
前記本体部の背面側に接着用部材を有する、請求項１又は２に記載のピックホルダー。
【請求項４】
前記接着用部材が、粘着テープである、請求項３に記載のピックホルダー。
【請求項５】
前記弦楽器の本体に取り付けて用いられる、請求項１乃至４のいずれか一項に記載のピックホルダー。
【請求項６】
前記弦楽器の弦が設けられている面とは反対側の表面に取り付けて用いられる、請求項１乃至５のいずれか一項に記載のピックホルダー。
【請求項７】
前記収納部が複数設けられている、請求項１乃至６のいずれか一項に記載のピックホルダー。
【請求項８】
前記本体部及び前記帯状部材の材質は、それぞれ独立に、皮革、人工皮革、布、ラバー、及び合成樹脂からなる群から選択される、請求項１乃至７のいずれか一項に記載のピックホルダー。
【請求項９】
請求項１乃至８のいずれか一項に記載のピックホルダーを着脱自在な態様で備えることを特徴とする、ベルト。
【発明の詳細な説明】
【技術分野】
【０００１】
本発明は、ギター等の弦楽器の演奏の際に使用されるピックを収容するためのピックホルダーに関するものである。
【背景技術】
【０００２】
ギターやベース等の弦楽器を演奏する場合、一般に、ピックを用いて弦を弾くことによって演奏する方法、またピックを用いずに奏者の指で直接弦を弾くことによって演奏する方法があるが、ロック・ミュージック等の普及に伴い、プロ及びアマチュアの演奏家を問わず、より簡便な操作性等の面からピックを用いる奏法が広く用いられるようになっている。特に、弦の振動を電気信号として認識し電気的に音量を増幅して外部に伝えることができるエレクトリック・ギターやエレクトリック・ベース等において、ソリッドな音色が求められる場合、或いは、複数の弦を高速で同時に弾く必要がある場合には、ピックによる奏法が好適である。
【０００３】
当該ピックは、セルロイドやナイロン等の樹脂、或いは、べっ甲、金属などの材質よりなる小片の部材である。また、その形状は、ユーザーの好みや演奏上の目的に応じて、いわゆるティアドロップ型と呼ばれている水滴様の形状をはじめ、三角形型など多様な形状があり、厚さについても、ロック系に適した厚いものから、ジャズ系に適した薄いものまで幅広い範囲のものが市販されている。
【０００４】
かかるピックを用いた奏法の場合、演奏者は、親指と人差し指の間に平板なピックを挟んで担持したまま弦を弾く行為を行うため、特にファンク等の鋭いカッティング奏法によるフレーズが求められる場合やスラッシュメタルやハードコア等の高速で隙間無く音を紡ぎ出す必要がある場合には、ピックを操作する手の動きの勢い等に起因して、演奏中に思いがけずピックを床等に落してしまうことがある。しかし、ステージ上などでは、すぐさまピックを探し、拾い上げて再度使用することは極めて困難であり、また、他の奏者の演奏が進行しているなかで一部の楽器の演奏が長期間離脱することは非常に好ましくない。
【０００５】
さらに、現代音楽としてのポピュラー・ミュージックの進化に伴い、従来の音楽ジャンルの範疇に留まらない多種多様な要素の組み合わせを含む音楽形態が生み出されている現在、演奏者はそのような音楽を演奏する際には、１つのステージにおいて、或いは、１つの楽曲の中のパートにおいてさえ、アンプ装置やギター本体の出力調整やエフェクター等の外部機器による音響効果の使用のみならず、特定の場面に応じて必要とされる演奏技法や所望の微妙な音色・トーンを実現するために、上記のような多様な材質及び形状の複数のピックを演奏中に交換したり、または、指弾きとピック弾きによる奏法を使い分ける場合も多く発生する。
【０００６】
このため、演奏者は、通常、現に演奏に用いているピック以外のスペアーのピックまたは他種類のピックを、衣類のポケット等に収容したり、演奏者近傍のアンプ装置の上に載置することが多い。しかしながら、このような収容態様によって予め複数のピックを用意したとしても、やはり新たなピックの取出しを迅速に行うためには不便であり、所望の特定のピックを選んで取り出すことも容易ではない。
【０００７】
これに対し、従来、マイクスタンドや譜面台の脚部パイプに設置するためのピックホルダー（例えば、特許文献１参照）、ギターのヘッド部に設置するためのピックホルダー（特許文献２参照）、楽器のストラップに引っ掛け可能なピック収容具（特許文献３参照）などが試みられている。このうち、マイクスタンドにピックホルダーを設置する手法は、現在最も広く用いられている。
【先行技術文献】
【特許文献】
【０００８】
【特許文献１】実公昭６１−２８２３３
【０００９】
【特許文献２】特開２００３−２２３１６４
【００１０】
【特許文献３】特開２００９−３２００
【発明の概要】
【発明が解決しようとする課題】
【００１１】
しかしながら、上記マイクスタンドや譜面台にピックホルダーを設置する方法では、比較的大きな取付け部材を要するという欠点があることに加え、ステージ上を移動しながら演奏する場合等には、新たなピックを取得するためにその都度それらの機器上のピックホルダーまで近寄る必要がある点で煩雑であり、また、コーラス等を行わない演奏者やステージ等において譜面を見ることを要しない演奏者の場合には、必ずしもピックホルダーを設置するためのマイクスタンドや譜面台が演奏者近傍に存在するとは限らず、ピックホルダーを設置することができない。
【００１２】
また、上記ギターのヘッド部やストラップにピックホルダーを設置する方法では、いずれの場合も、演奏時にピックを持つ側の手とは反対側の手（右手でピックを操作する場合には、左手側）の近辺にピックホルダーが設置されることになるため当該ピックを持つ側の手を延ばして新たなピックを取得する必要があり、その後に演奏を再開するまでに時間を要するという欠点があるとともに、設置場所によってはピックホルダーの存在が演奏行為やチューニング行為の妨げになるおそれもある。加えて、特許文献３に開示のピックホルダーのように複数枚を重ねて押圧して収納すされる場合には、所望の種類のピックを選択してスムーズに取り出すことは困難である。
【００１３】
本発明は、かかる従来技術の課題に鑑みてなされたものであり、楽器本体に取り付けが可能で、かつ、ピックの収容・取出しを容易に行うことができ、ピックの欠落や交換による演奏の中断を最小限に抑えることができる、簡潔な構造を有するピックホルダーを提供することを目的とする。さらには、不使用時には楽器本体から取り外して携帯したり、衣服のアクセサリーとして使用するなど、種々の使用態様を自由に選択できるようなピックホルダーを提供することを目的とする。
【課題を解決するための手段】
【００１４】
上記の課題を解決するため、１つの態様において、本発明に係るピックホルダーは、ギター等の弦楽器の演奏の際に使用されるピックを収容するピックホルダーであって、略平板な形状の本体部と、その本体部の表面上に前記ピックを収納する少なくとも１つ以上の収納部を備え、前記収納部は、前記本体部上に設けられた帯状部材と前記本体部との間に形成された空間において前記ピックを固定することを特徴とする。
【００１５】
また、別の態様において、本発明のピックホルダーは、前記収納部が、前記本体部に所定の間隔で設けられた複数の孔に、前記孔と略同一の幅を有する帯状部材を貫通するように表面側と裏面側とから交互に挿入して、前記帯状部材の一部が前記本体部の表面に露出することによって形成されており、前記本体部と前記露出した帯状部材との間に形成された空間に前記ピックを挟み込むことによって、前記収納部に前記ピックが固定されることを特徴とする。
【００１６】
このような構成を採用することによって、比較的簡潔で加工し易い構造であり、略平板な形状であるため楽器本体に取り付けた場合でも演奏の支障となることがない。また、本体部の表面と細い帯状部材によってピックを挟んで固定するというピック収納構造を採用することにより、ピック表面の大部分が視認可能な状態で保持されるため、ピックを取り出す際にその種類等を瞬時に判別できるとともに、固定を解除するための特段の作業を行うことなく単に保持部からピックを抜き取るだけで迅速に取り出しを行うことができる。逆に、ピックを収納する際にも、単に保持部にピックを挿入するだけで足りるため、演奏中にピックを交換する必要が生じた場合でも、それまで使用していたピックの収納を容易かつ迅速に行うことが可能である。
【００１７】
本発明のピックホルダーの好ましい態様では、前記孔が前記ピックの収納方向に対して斜め方向に開口することによって、前記本体部の表面に露出した帯状部材の外縁が左右対称の逆台形の輪郭を有することを特徴とする。
【００１８】
かかる態様では、帯状部材の外縁が左右対称の逆台形（すなわち、上辺が下辺より長く、ピックの収納方向に沿った両側の辺どうしの間隔が徐々に減少する）ことによって、収納部がティアドロップ型や三角形型などのピックの外縁に沿った形状となるため、ピックをより安定して保持することができる。
【００１９】
本発明のピックホルダーの別の好ましい態様では、前記本体部の背面側に接着用部材を有することを特徴とする。より好ましい態様では、前記接着用部材が、粘着テープである。
【００２０】
かかる態様では、前記本体部の背面側に設けられた接着用部材によって楽器本体の任意の場所にピックホルダーを取り付けることができ、また、容易に着脱可能であるため、演奏時以外の場合には、楽器本体に限らず衣服のアクセサリーとして使用するなど所望の場所に取り付けておくことができ、また楽器ケースの内部等に携帯して所持することも可能となる。
【００２１】
また、本発明のピックホルダーの別の好ましい態様では、当該ピックホルダーは、前記弦楽器の本体に取り付けて用いられることを特徴とする。より好ましい態様では、前記弦楽器の弦が設けられている面とは反対側の表面に取り付けて用いられる。
【００２２】
かかる態様では、ピックホルダーを楽器の本体に取り付けることによって、演奏者はピックを操作する側の手を大きく動かすことなく、新たなピックを容易かつ即座に取り出すことができる。特に、楽器の弦が設けられている面とは反対側の面、すなわち楽器と演奏者の体の間に位置する面にピックホルダーを取り付けた態様では、上記のようにピックの取り出しが容易なだけでなく、観客等の周囲の人間からピックホルダーが視認できない位置となり、見栄え等の点でピックホルダーの存在を隠したい演奏者の場合には、その存在を悟られずにピックの交換・取り出しを行うことができる。
【００２３】
また、本発明のピックホルダーの好ましい態様では、前記収納部が複数設けられている。
【００２４】
かかる態様では、収納部が複数設けられているため複数のピックを収納することができ、特に、特定の場面に応じて必要とされる演奏技法や所望の微妙な音色・トーンを実現するために、材質や形状の異なる複数のピックを演奏中に交換したり、または、指弾きとピック弾きによる奏法を使い分ける場合に有益である。その場合、ピックの挿入方向と垂直の方向上に複数の収納部を配列する態様が好ましい。また各収納部に複数のピックを重ねて収納することも可能であるが、収納・取り出しにおける利便性や各ピックの種類の識別性等の観点からは、１つの収納部に１種のピックを収納する態様が好ましい。
【００２５】
さらに、本発明のピックホルダーの好ましい態様では、前記本体部及び前記帯状部材の材質は、それぞれ独立に、皮革、人工皮革、布、ラバー、及び合成樹脂からなる群から選択される。
【００２６】
かかる態様では、ピックホルダーのデザイン性、或いは、当該ピックホルダーを設置する楽器本体部分やその他の設置場所の形状等に併せて、材質を選択することができる。これにより、ピックを収容する目的だけではなく、衣服のアクセサリーとして使用するなど、種々の使用態様を自由に選択可能なピックホルダーを提供することが可能となる。
【００２７】
更なる態様において、本発明は、上記ピックホルダーを着脱自在な態様で備えることを特徴とする、ベルトに関する。
【発明の効果】
【００２８】
本発明によれば、楽器本体に取り付けが可能で、かつ、ピックの収容・取出しを容易に行うことができ、ピックの欠落や交換による演奏の中断を最小限に抑えることができる。また、不使用時には楽器本体から取り外して携帯したり、衣服のアクセサリーとして使用するなど、種々の使用態様を自由に選択できるようなピックホルダーを提供することができる。
【００２９】
さらに、比較的簡潔なピック収納構造を有するため、ピックを取り出す際にその種類等を瞬時に判別できるとともに、固定を解除するための特段の作業を行うことなく迅速に取り出しを行うことができる。同様に、ピックを収納する際にも、単に保持部にピックを挿入するだけで足りるため、演奏中にピックを交換する必要が生じた場合でも、それまで使用していたピックの収納を容易かつ迅速に行うことが可能となる。
【００３０】
加えて、楽器本体の任意の場所に取り付けることが可能であり、特に弦が設けられている面とは反対側の表面にピックホルダーを取り付けることにより、演奏時にもピックホルダーの存在が目立たないうえに、演奏時に必須の楽器本体に貼り付けるためその紛失なども防ぐことができる。
【図面の簡単な説明】
【００３１】
【図１】本発明の好ましい実施形態におけるピックホルダーの全体構成を示す正面図である。
【図２】本発明の別の好ましい実施形態におけるピックホルダーの全体構成を示す正面図である。
【図３】図１及び図２の実施形態におけるピックホルダーにピックを収納した状態を示す正面図である。
【図４】本発明の実施形態における本体部分（ａ）及び帯状部材（ｂ）の正面図である。
【図５】本発明の別の好ましい実施形態におけるピックホルダーの全体構成を示す正面図である。
【発明を実施するための形態】
【００３２】
以下、本発明を実施するための形態を、図面を参照して説明する。なお、本発明は、下記の態様に何ら限定されるものではない。
【００３３】
図１及び図２に示すとおり、ピックホルダー１０は、ほぼ平板な形状を有する本体部１と、その本体部の表面上にピックを収納できる３つの収納部２から構成される。そして、ピックホルダー１０は、図３（ａ）及び（ｂ）に示すような形態で、各収納部２においてピック２０を収納し保持することができる。
【００３４】
本体部１は、収納部２に保持されたピック２０の背面を支持する機能を有し、これによりピック２０は安定して、ピックホルダー１０に保持される。本体部１は、図１及び図２では四隅にアール（Ｒ）を設けた矩形として示しているが、その表面上に収納部２を形成することができ、また、上記のようにピック２０の背面を支持することができるような形状及び大きさであればよく、正方形、菱形、平行四辺形、三角形、多角形、楕円など、適宜な形状のものを用いることができる。後述のように、収納部２の所望の数に応じて、縦方向或いは横方向に増大された寸法を用いることもできる。
【００３５】
本体部１の材質についても、収納部２にピック２０を適切に保持することが可能な硬さであって、また、楽器本体等への取り付けにおいて特段支障のないものであれば、皮革、人工皮革、布、ラバー、及び合成樹脂等の任意の素材を用いることができる。特に、安定なピックの収納や外観の美しさ等の観点から、皮革が好ましい。皮革は、加工が比較的難しい面もあるが、素材の形態保持性、柔軟性、弾力性等の点で優れている。すなわち、適度な柔軟性と弾力性により、収納するピックの形状や厚さ等に合わせてフィットしやすく、かつ安定に固定できる利点がある。
【００３６】
また、本体部１は、上記素材から選択された同様の大きさの１枚の平板な部材と張り合わせて用いることもできる。例えば、上記収納部２を形成させた１枚の皮革の裏側に、孔を有しない同一寸法の皮革を張り合わせてピックホルダー１０を得ることができ、その場合には、（特に図２の態様において）本体部１の背面から帯状部材３が露出しないため、外見の点も好ましく、また、楽器本体等に取り付ける際もその取付け面が平滑であるため安定した設置を行うことが可能となる。もちろん、皮革だけでなく、上記した他の素材どうし、或いはそれらの任意の組み合わせよりなる部材を張り合わせることもできる。
【００３７】
図１の態様において、各収納部２は、本体部１上に帯状部材３を重ねて設けることによって、当該帯状部材と本体部１の表面との間に形成されたポケット状の空間にピックを保持する。ここで、帯状部材３は、そこからピックが挿入されることとなる上方の辺以外の３辺の外縁において、後述のように縫製、圧着、溶着等の適切な手段によって本体部１に固定することができる。同様の手段により、各収納部２の間に仕切り（図１における点線部）を設けることが好ましい。
【００３８】
また、図１の態様における収納部は、右側の収納部２’として示されるような、ピックが挿入されることとなる上方の辺が湾曲した形状となることがより好ましい。かかる形状を用いることによって、図３（ａ）の右側収納部に示されるように、上辺が直線の形状の場合（左側及び中央の収納部）に比して、外観等のデザイン性が向上するだけでなく、それとともに、収納後のピック表面の視認可能な部分が増大するため、ピックの種類の迅速な識別を行うことができ、ピックの収容・取り出しを容易に行うことができる。
【００３９】
図２の態様では、各収納部２は、本体部１の設けられた複数の孔に帯状部材３を貫通するように挿入することによって本体部１の表面上に露出した帯状部材３と本体部１の表面との間に形成された空間にピックを保持する。
【００４０】
図２の態様における収納部２の構成を図４に基づいて説明する。図４（ａ）に示すとおり、本体部１には、所定の間隔で複数の孔４が設けられている。一方、図４（ｂ）に示すとおり、帯状部材３は、孔４の大きさｈとほぼ同一の幅ｗを有し、また、本体部１とほぼ同一の長さを有している。そして、当該帯状部材３を本体部１の表面側と裏面側とから交互に挿入して貫通されることによって、帯状部材３の一部のみが本体部１の表面に露出する。そうすると、図１に示したような収納部２が形成され、当該露出した帯状部材３と本体部１の表面と間の空間においてピック２０を固定することができるようになる。
【００４１】
収納されるピック２０に対する収納部２の位置としては、図３（ｂ）に示すように、ピック２０の下部となることが、その収納や取り出しの容易性の観点から好ましい。例えば、収納の安定性等を考慮すると、ピック２０の高さの下方１／４から１／２の間で、ピック２０が本体部１と露出した帯状部材３の間に保持されることがより好ましい。
【００４２】
収納部２の数については、図１及び２では、収納部２は３つ存在する例を示しているが、所望に応じて１以上の任意の数の収納部２を設けることができる。例えば、図１の態様の場合には、収納部２間の仕切りを調整することによって、また、図２の態様に場合には、孔４の数を調整することによって行うことができる。
【００４３】
収納部２を本体部１の横方向に増やすために、当該方向に延長された長さを有する本体部１を用いる場合には、それに伴って、帯状部材３の長さも延長されたものを用いる必要がある。ただし、所望の数の収納部２が形成され、すなわち、両端に位置する孔４の長さより長いものであれば、必ずしも本体部１と同じ長さである必要はなく、それより短いものを用いてもよい。
【００４４】
また、複数の収納部２を、本体部１の横方向に整列させる形態だけでなく、縦方向或いは、本体部１のランダムな位置に配置することも可能である。例えば、帯状部材３を複数用いることによって、いわゆる２段に配置された収納部２を形成させることができるし、また、１つ帯状部材３につき１つの収納部２を形成させることで、各収納部２どおしの関係に縛られずにランダムな位置の収納部２を設けることができる。しかしながら、ピック２０の挿入方向（縦方向）に複数の収納部２が配置された場合には、収納・取り出し時に他の収納部２に保持されているピック２０に手が触れる等によりピック２０が収納部２から外れるおそれ等が想定される。従って、ピック２０の収納及び取り出し作業の利便性を考慮すると、横方向に複数を配置することが好ましく、少なくとも、縦方向に複数配置する場合でも適宜な間隔を設けることが好ましい。
【００４５】
図１の態様において、本体部１上の孔４は、本体部１の形状や素材の種類などに応じて、当該技術分野において公知の任意の手段によって形成できることは、当業者には明らかであろう。
【００４６】
帯状部材３の材質は、上記で本体部１について述べたと同様に、収納部２にピック２０を適切に保持することできるものであれば、皮革、人工皮革、布、ラバー、及び合成樹脂等の任意の素材を用いることができる。本体部１と異なる素材を用いることもできる。しかしながら、適度な柔軟性と弾力性により、収納するピックの形状や厚さ等に合わせてフィットしやすく、かつ安定に固定できるという点から、皮革が好ましい。
【００４７】
また、帯状部材３の幅ｗは、上述のように孔４の大きさｈとほぼ同一となることが好ましいが、ピックを２０を安定に保持することが出来る限り、孔４の大きさと伴に任意の幅とすることも可能である。帯状部材３の幅ｗが大きければ大きいほど、ピック２０との接触面が増えるため、より安定にピック２０を保持できることは当業者には自明であるが、一方で、あまり大きな幅を用いる場合には、ピック表面の大部分が帯状部材３で覆われてしまい、演奏者はピックの種類を瞬時に認識することが妨げられ、また、ピック２０の取り出し容易性も損なわれるという不利益も生じる。しかしながら、それら不利益が生じない範囲であれば、外観デザイン等の観点から適宜の幅の帯状部材３を設けることができる。
【００４８】
帯状部材３は、任意の位置において本体部１に固定することができる。例えば、その位置としては、本体部１の両端の外縁付近、或いは、収納部２の両端付近などが挙げられる。また、その固定手段としては、縫製、圧着、溶着など用いられる素材に応じて、当該技術分野において公知の手法を用いることができる。
【００４９】
図５は、図２の態様におけるピックホルダー１０の更に好ましい形態の１つの例示したものである。当該図において、本体部１の表面に露出した帯状部材３の外縁が左右対称の逆台形の輪郭（すなわち、上辺が下辺より長く、ピックの収納方向に沿った両側の辺どうしの間隔が徐々に減少する形状）となって、収納部２が形成されている。これは、孔４をピック２０の収納方向に対して斜め方向に開口するように形成し、当該孔４に帯状部材３を上記と同様に挿入することにより得られる。
【００５０】
収納部２をこのような形状とすることによって、ティアドロップ型や三角形型などの形状のピックの外縁に沿って帯状部材３がフィットしてピック２０を支えることができるため、ピック２０をより安定して保持することが可能となる点で優れている。このため、ピック２０の取り出しの容易性を損なうことなく、収納時の安定性を高め、動きながら演奏した場合でも、ピックホルダー１０に収納されているピック２０の意図せぬ落下等を最小限に抑えることができる。
【００５１】
また、図示してはいないが、任意の場所にピックホルダー１０を取り付けるために、ピックホルダー１０の背面に接着用部材を設けることができる。そのような接着用部材としては、例えば、アクリル樹脂系の粘着剤を含有する粘着テープが挙げられる。それ以外にも、当該技術分野において公知の接着手段を用いることができるが、一旦剥離させた後も再接着を可能とする手段が好ましい。
【００５２】
かかる接着用部材を備えたピックホルダー１０は、楽器の本体（ボディー）に取り付けて用いることが好ましい。ピックホルダー１０を楽器の本体に取り付けることによって、マイクスタンド等にピックホルダーが設置されている等の従来の形態の場合とは異なり、演奏者はピックを操作する側の手（右効きの演奏者の場合は、通常は右手）を大きく動かすことなく、ピックを容易かつ即座に取り出すことができる。
【００５３】
また、接着用部材を備えたピックホルダー１０は、ある程度平坦な面があれば楽器本体の任意の場所に取り付けることが可能であるが、弦楽器の弦が設けられている面とは反対側の表面、すなわち、すなわち楽器と演奏者の体の間に位置する面にピックホルダーを取り付ける態様がより好ましい。この場合には、ピック２０の取り出しが容易なだけでなく、観客等の周囲の人間からピックホルダー１０が視認できない位置でピックの交換・取り出しを行うことができるという利点がある。
【００５４】
さらに、上記のような粘着性の接着手段に代えて、或いはそれとともに、別の観点からは、例えば、ホックやベルト通しのように、衣類やバックなどのベルト等にピックホルダー１０を設置するすための接着用の手段を設けることもできる。これにより、不使用時には楽器本体から取り外してアクセサリー的な用途として使用することも可能となる。特に、ピックホルダー１０を接続するためのホック（２点式など）を有する専用のベルトを用いる場合には、ベルトを着用した状態のまま当該ピックホルダーの着脱が簡便であるという利点があるため、当該ピックホルダーがベルトの修飾部品としてアクセサリー的な機能を果たし得るのみならず、楽器本体へ設置するためにピックホルダーを携帯所持して持ち運ぶ際にも優れた利便性を提供することができる。
【００５５】
以上、本発明の実施形態の例を図面を基づき説明したが、本発明は、上述の態様に限定されるものではなく、その趣旨を逸脱しない範囲で種々の変更が可能である。例えば、デザイン性等に観点から本体部及び帯状部材に適宜装飾等を施すことができる点等は、当業者には明らかであろう。
【符号の説明】
【００５６】
１    本体部
２    収納部
３    帯状部材
４    孔
１０  ピックホルダー
２０  ピック
ｈ    孔の大きさ
ｗ    帯状部材の幅
【図１】
0006031637.tif 000002
【図２】
0006031637.tif 000003
【図３】
0006031637.tif 000004
【図４】
0006031637.tif 000005
【図５】
0006031637.tif 000006